(57)【要約】【課題】プリンター１から印字排出される印字用紙Ｌを確実に携帯用収納ケースの外部にガイド可能とし、印字されてくる印字用紙Ｌがプリンター１と携帯用収納ケースとの間の空隙１６にジャミングしてしまうことを防止可能なプリンターの携帯用収納ケースを提供すること。【解決手段】プリンター１の用紙排出口７と、携帯用収納ケースの用紙窓部１５との間の空隙１６に印字用紙Ｌを外方にガイド可能な案内片２１を設けることに着目したもので、プリンター１を収納して携帯可能であるとともに、プリンター１から排出される印字用紙Ｌを外部に取り出し可能とする用紙窓部１５を有するケース本体１０と、用紙窓部１５に取り付けるとともに、プリンター１から排出されてくる印字用紙Ｌをケース本体１０の外部にガイド可能な案内片２１と、を有することを特徴とする。【選択図】図２
2007319230.tif 000002
【特許請求の範囲】
【請求項１】
プリンターを収納して携帯可能なプリンターの携帯用収納ケースであって、
前記プリンターを収納して携帯可能であるとともに、前記プリンターから排出される印字用紙を外部に取り出し可能とする用紙窓部を有するケース本体と、
この用紙窓部に取り付けるとともに、前記プリンターから排出されてくる前記印字用紙を前記ケース本体の外部にガイド可能な案内片と、
を有することを特徴とするプリンターの携帯用収納ケース。
【請求項２】
前記ケース本体に前記プリンターを出し入れするための上部開口部を覆うケースカバーを設けたことを特徴とする請求項１記載のプリンターの携帯用収納ケース。
【請求項３】
前記案内片は、前記用紙窓部から前記ケース本体の内方に臨んでいることを特徴とする請求項１記載のプリンターの携帯用収納ケース。
【請求項４】
前記案内片の案内先端部は、前記ケース本体の内方側に位置していることを特徴とする請求項１記載のプリンターの携帯用収納ケース。
【発明の詳細な説明】
【技術分野】
【０００１】
本発明はプリンターの携帯用収納ケースにかかるもので、とくに野外で活動する職種に必要なプリンターを収納して携帯可能なプリンターの携帯用収納ケースに関するものである。
【背景技術】
【０００２】
従来から、小売り店などにおいて、その店内およびバックヤードで値付け作業ないしはその値下げ作業を行う際に、価格その他の内容を印字するために必要なプリンターを携帯して作業を行う場合が多く、このプリンターを携帯するための携帯用収納ケースが用いられている。
また、屋外で活動する作業を行うとともに、ラベルその他各種の印字用紙に印字するためにプリンターを必要とする職種の場合にも、プリンターを風雨や埃から守るために携帯用収納ケースおよび望ましくはそのケースカバーなどを必要とする。
しかしながら、屋内および屋外を問わず、携帯用の上記プリンターにより印字されて排出されてくる上記印字用紙は、ロール状に巻かれた状態でプリンターに装填されていることが一般的であり、携帯用収納ケース内に収納したプリンターからの印字用紙の排出に不具合が生じかねない。
【０００３】
図３にもとづき概説する。
図３は、一般的な携帯用のプリンターたとえばサーマルプリンター１およびその携帯用収納ケース２の概略断面図であって、サーマルプリンター１は、プリンター本体３と、用紙収納部４と、印字部５と、操作部６と、を有する。
プリンター本体３は、印字部５により印字された印字用紙Ｌをプリンター本体３外に排出するための用紙排出口７をその側面に開口形成してある。
用紙収納部４は、印字用紙Ｌをロール状に巻いた状態で収納し、印字部５方向に帯状に繰り出し可能としている。
印字部５は、サーマルヘッド８およびプラテンローラー９を有し、サーマルヘッド８およびプラテンローラー９の間に印字用紙Ｌを挟持してプラテンローラー９を回転駆動するとともに、サーマルヘッド８にデータ信号を供給して印字用紙Ｌに所定内容の情報を印字可能としている。
操作部６は、印字部５への印字データの供給その他の操作を行うもので、たとえばサーマルプリンター１の上面部にこれを位置させている。
【０００４】
携帯用収納ケース２は、ケース本体１０と、ケースカバー１１と、肩ベルト１２および腰ベルト１３（携帯用ベルト）と、を有する。
ケース本体１０は、その上部開口部１４からサーマルプリンター１を収納して携帯可能であるとともに、用紙排出口７からの印字用紙Ｌを外部に取り出し可能とするための用紙窓部１５を用紙排出口７に対向してその側面（前側面）に開口形成している。
ケースカバー１１は、上部開口部１４を覆うもので、ケース本体１０とともにサーマルプリンター１を保護する。
このケースカバー１１を開放することにより操作部６を操作可能とするとともに、サーマルプリンター１により印字されて用紙排出口７および用紙窓部１５を通って排出されてくる印字用紙Ｌ（図３中、実線による矢印を参照）を取り出し可能とする。
【０００５】
こうした構成のサーマルプリンター１および携帯用収納ケース２において、印字用紙Ｌは、ロール状に巻かれた状態で用紙収納部４に装填収納されており、円弧状に曲がりくせがついているため、かつ、サーマルプリンター１のプリンター本体３の外壁面と携帯用収納ケース２のケース本体１０の内壁面との間にはわずかな間隔Ｄ分の空隙１６が開いているため、印字部５により印字されプリンター本体３の用紙排出口７から排出されてくる印字用紙Ｌの先端部ＬＡがこの空隙１６内に誘導されて（図３中、仮想線による矢印を参照）、携帯用収納ケース２の用紙窓部１５から外部に排出されることなく、空隙１６内に詰まってしまう（いわゆるジャミング）惧れがあるという問題がある。
【０００６】
とくに、サーマルプリンター１は携帯用として製造され、その内部の構成を効率化かつ簡略化しているために、用紙収納部４には印字用紙Ｌをロール状に装填することが事実上必須の構成であり、さらにサーマルプリンター１をケース本体１０に出し入れする際に上記空隙１６はわずかでも必要であるとともに、またとくに、サーマルプリンター１を屋外で使用する場合にこれが大型化すればその重量を支える必要からケース本体１０の材料の厚さも比較的厚くなるため、プリンター本体３の用紙排出口７からケース本体１０の外表面までの必要移送間隔が比較的大きくなり、印字用紙Ｌの空隙１６へのジャミングの可能性は否定しがたいという問題がある。
さらに、サーマルプリンター１に装填する印字用紙Ｌの使用形態に応じて、とくに印字用紙Ｌが移送方向に長い印字デザインを有する場合には、一枚の印字用紙Ｌの印字移送が終了するまでの長さが長く、ジャミングに気が付くまでに時間がかかり、比較的短い印字デザインの場合に比較して後処理が面倒であるという問題がある。
逆に、極端に短い印字用紙Ｌの場合には、プリンター本体３から排出されてくる際に空隙１６内に落下してしまうという、さらに面倒な問題がある。
【０００７】
【特許文献１】特開２００２−１９９９２５号公報
【発明の開示】
【発明が解決しようとする課題】
【０００８】
本発明は以上のような諸問題にかんがみなされたもので、プリンターを携帯して、プリンターから印字排出される印字用紙を確実に携帯用収納ケースの外部にガイドすることができるプリンターの携帯用収納ケースを提供することを課題とする。
【０００９】
また本発明は、印字されてくる印字用紙がプリンターと携帯用収納ケースとの間の空隙にジャミングしてしまうことを防止可能なプリンターの携帯用収納ケースを提供することを課題とする。
【００１０】
また本発明は、とくに屋外で使用するプリンターについて、比較的長い印字用紙を用紙窓部の外部に確実に送り出すことができるようにしたプリンターの携帯用収納ケースを提供することを課題とする。
【課題を解決するための手段】
【００１１】
すなわち本発明は、プリンターの用紙排出口と、携帯用収納ケースの用紙窓部との間の空隙に印字用紙を外方にガイド可能な案内片を設けることに着目したもので、プリンターを収納して携帯可能なプリンターの携帯用収納ケースであって、上記プリンターを収納して携帯可能であるとともに、上記プリンターから排出される印字用紙を外部に取り出し可能とする用紙窓部を有するケース本体と、この用紙窓部に取り付けるとともに、上記プリンターから排出されてくる上記印字用紙を上記ケース本体の外部にガイド可能な案内片と、を有することを特徴とするプリンターの携帯用収納ケースである。
【００１２】
上記ケース本体に上記プリンターを出し入れするための上部開口部を覆うケースカバーを設けることができる。
【００１３】
上記案内片は、上記用紙窓部から上記ケース本体の内方に臨んでいることができる。
【００１４】
上記案内片の案内先端部は、上記ケース本体の内方側に位置していることができる。
【発明の効果】
【００１５】
本発明によるプリンターの携帯用収納ケースにおいては、プリンターの用紙排出口と携帯用収納ケースの用紙窓部との間の空隙に印字用紙をガイド可能な案内片を設けたので、プリンターの用紙排出口から印字排出されてくる印字用紙の先端部がこの案内片に接触して携帯用収納ケースの用紙窓部方向にガイドされることになり、この空隙における印字用紙のジャミング（紙詰まり）を防止可能である。
【発明を実施するための最良の形態】
【００１６】
本発明は、携帯用収納ケースの用紙窓部に案内片を取り付けるという簡単な構成で、印字用紙のジャミングを防止することができるプリンターの携帯用収納ケースを実現した。
【実施例】
【００１７】
つぎに本発明の実施例によるプリンターの携帯用収納ケース２０を図１および図２にもとづき説明する。ただし、図３と同様の部分には同一符号を付し、その詳述はこれを省略する。
図１は、携帯用収納ケース２０の斜視図、図２は、前記サーマルプリンター１を収納した状態の携帯用収納ケース２０の縦断面図であって、携帯用収納ケース２０は、前記ケース本体１０と、案内片２１と、ケースカバー２２と、前記肩ベルト１２および腰ベルト１３（携帯用ベルト）と、を有する。
【００１８】
案内片２１は、鉤の手状（断面Ｌ字型）を呈し、ケース本体１０の用紙窓部１５に臨んでこれを取り付けている。
すなわち案内片２１は、鉛直部２１Ａおよび水平部２１Ｂを有し、鉛直部２１Ａを取付けビス２３によりケース本体１０の用紙窓部１５の下方端部における外壁面に固定して、水平部２１Ｂがケース本体１０の内方に位置するように、すなわち、水平部２１Ｂの案内先端部２１Ｃを用紙窓部１５から空隙１６方向に携帯用収納ケース２０の内方側に向けて位置させてある。
水平部２１Ｂは、前記プリンター本体３の外壁面とケース本体１０の内壁面との間にあるわずかな前記間隔Ｄとほぼ同等の長さであって、プリンター本体３のケース本体１０への出入れに支障がない長さを有し、サーマルプリンター１から排出されてくる印字用紙Ｌの曲がり方向に対向する部位に位置しており、印字用紙Ｌをケース本体１０の外部にガイド可能である。
なお、鉛直部２１Ａおよび水平部２１Ｂの境界稜線部にあたる角部２１Ｄが、用紙窓部１５の下方端縁部に位置しており、排出されてきた印字用紙Ｌを切るきっかけとしてのガイド部品としても利用可能である。
【００１９】
ケースカバー２２は、ケース本体１０の上部開口部１４を覆うように、背面側の着脱ボタン２４およびベルクロファスナー２５の部分でこれをケース本体１０に着脱可能に取り付けてある。
ケースカバー２２は、ケース本体１０の上面および前面のほとんどを覆うことができるだけの長さを有するとともに、その前面および上面を透明な合成樹脂製材料から形成した透過窓部２６とし、ケースカバー２２を開けなくてもサーマルプリンター１の操作部６および用紙排出口７さらにケース本体１０の用紙窓部１５を見ることができるようにしている。
すなわち、ケースカバー２２を開放することにより、操作部６を操作することもできるが、ケースカバー２２が閉鎖状態のままでも透過窓部２６の上から操作部６を操作可能である。ただし、印字された印字用紙Ｌを取り出す際には、ケースカバー２２を開ける必要がある。
【００２０】
なお、ケース本体１０の側面には、肩ベルト１２を取り付けるための左右一対の肩ベルト取付けリング２７を設け、ケース本体１０の背面には、腰ベルト１３を取り付けるための一対の腰ベルト取付け片２８を設けている。
【００２１】
こうした構成のプリンターの携帯用収納ケース２０において、ケース本体１０およびケースカバー２２により、サーマルプリンター１を風雨や埃などから保護することができる。
また、サーマルプリンター１の印字部５により印字されて用紙排出口７から空隙１６を経て用紙窓部１５から外部に排出されようとする印字用紙Ｌは、空隙１６にまたがるように案内片２１ないしその案内先端部２１Ｃが位置しているので、印字用紙Ｌが円弧状の曲がりのくせがついていても、あるいは印字用紙Ｌの長さに関係なく、印字用紙Ｌの先端部ＬＡが案内片２１（水平部２１Ｂ）に接触しつつ空隙１６をこえて用紙窓部１５から携帯用収納ケース２０の外部に確実かつ適正に排出されることになる。
【００２２】
したがって、印字済みの印字用紙Ｌないしその先端部ＬＡが空隙１６内にジャミングすることなく、印字用紙Ｌを簡単に取り出すことができる。
【００２３】
なお、上述の実施例の場合には、印字用紙Ｌのロールがプリンター本体３の下方内部の用紙収納部４にその巻き軸を水平方向において装填されているので、円弧状の曲がりくせがついた印字用紙Ｌに対向接触可能なように、案内片２１をケース本体１０の用紙窓部１５の下方端部に取り付けているが、本発明においては、印字用紙Ｌのプリンター本体３内におけるそのロールの姿勢や装填位置（用紙収納部４の位置）に応じて、案内片２１を用紙窓部１５の上方端部や左右側面端部に取り付けるように構成することもできる。たとえば、ロールの巻き軸が鉛直方向にある場合には、用紙窓部１５の側面端部に案内片２１を設けることができる。
【図面の簡単な説明】
【００２４】
【図１】本発明の実施例によるプリンターの携帯用収納ケース２０の斜視図である。
【図２】同、サーマルプリンター１を収納した状態の携帯用収納ケース２０の縦断面図である。
【図３】同、一般的な携帯用のサーマルプリンター１およびその携帯用収納ケース２の概略断面図である。
【符号の説明】
【００２５】
１  サーマルプリンター（プリンター、図２、図３）
２  サーマルプリンター１の携帯用収納ケース（従来、図３）
３  プリンター本体
４  用紙収納部
５  印字部
６  操作部
７  プリンター本体３の用紙排出口
８  サーマルヘッド
９  プラテンローラー
１０  ケース本体
１１  ケースカバー
１２  肩ベルト（携帯用ベルト）
１３  腰ベルト（携帯用ベルト）
１４  ケース本体１０の上部開口部
１５  ケース本体１０の用紙窓部
１６  プリンター本体３の外壁面とケース本体１０の内壁面との間のわずかな間隔Ｄ分の空隙
２０  プリンター１の携帯用収納ケース（実施例、図１、図２）
２１  断面Ｌ字型の案内片
２１Ａ  案内片２１の鉛直部
２１Ｂ  案内片２１の水平部
２１Ｃ  案内片２１（水平部２１Ｂ）の案内先端部
２１Ｄ  案内片２１の角部
２２  ケースカバー
２３  取付けビス
２４  着脱ボタン
２５  ベルクロファスナー
２６  ケースカバー２２の透過窓部
２７  肩ベルト取付けリング
２８  腰ベルト取付け片
Ｌ    印字用紙
ＬＡ  印字用紙Ｌの先端部
Ｄ    空隙１６の間隔
【図１】
2007319230.tif 000003
【図２】
2007319230.tif 000004
【図３】
2007319230.tif 000005